(57)【要約】【課題】入隅部に照明装置を設置する場合において、照明装置を簡単に設置できると共に、見栄えの良い照明装置及び照明装置の取り付け方法を提供すること。【解決手段】側面１５及び下面１４により構成される入隅部１６において光を下方に照射するように下面１４に取り付けられ、下面１４に形成される開口１４ａを通して配置される配線ケーブル６が接続される発光ユニット２と、発光ユニット２が取り付けられると共に下方が開放して形成される照明枠体３と、を備える照明装置１であって、照明枠体３は、発光ユニット２における側面１５と反対側において上下方向に延び且つ発光ユニット２における前記側面と反対側の部分を遮蔽する第１遮蔽壁３３と、発光ユニット２における側面１５側において側面１５に交差する方向に延び且つ下方から見た場合に開口１４ａを遮蔽する第２遮蔽壁３６と、を有する。【選択図】図４
2018092865.tif 000002
【特許請求の範囲】
【請求項１】
側面及び下面により構成される入隅部において光を下方に照射するように前記下面に取り付けられ、前記下面に形成される開口を通して配置される配線ケーブルが接続される発光ユニットと、
前記発光ユニットが取り付けられると共に下方が開放して形成される照明枠体と、を備える照明装置であって、
前記照明枠体は、前記発光ユニットにおける前記側面と反対側において上下方向に延び且つ前記発光ユニットにおける前記側面と反対側の部分を遮蔽する第１遮蔽壁と、前記発光ユニットにおける前記側面側において前記側面に交差する方向に延び且つ下方側から見た場合に前記開口を遮蔽する第２遮蔽壁と、を有する照明装置。
【請求項２】
前記入隅部は、段差状に積み上げた複数のブロック材の一部分により構成され、
前記開口は、前記ブロック材に形成される空洞部を利用して構成される請求項１に記載の照明装置。
【請求項３】
請求項１又は２に記載の照明装置の取り付け方法であって、
前記第２遮蔽壁の下端部の位置が、上下方向において、前記側面に配置される仕上げ材の仕上面の上端部の位置と一致するように、前記照明枠体を前記下面に取り付ける工程を備える照明装置の取り付け方法。
【発明の詳細な説明】
【技術分野】
【０００１】
本発明は、照明装置及び照明装置の取り付け方法に関する。
【背景技術】
【０００２】
従来、側面及び下面により構成される入隅部において光を下方に照射するように前記下面に取り付けられる照明装置が知られている。入隅部に照明装置を設置する場合に、照明装置を埋め込むためのスペースを現場で造作するなどの手間がかかっていた。
また、入隅部に照明装置を設置するために、ブロックを切り欠くことで、照明装置を埋め込むためのスペースを確保する技術が知られている（例えば、特許文献１参照）
【先行技術文献】
【特許文献】
【０００３】
【特許文献１】特許第５９９３１８７号公報
【発明の概要】
【発明が解決しようとする課題】
【０００４】
特許文献１に記載の技術では、ブロックを切り欠く必要があり、施工性が良くなく、また、下方から見えてしまうような場所の設置には向いていない。
そのため、入隅部に照明装置を設置する場合において、照明装置を簡単に設置できると共に、見栄えの良い照明装置が望まれる。
【０００５】
本発明は、入隅部に照明装置を設置する場合において、照明装置を簡単に設置できると共に、見栄えの良い照明装置及び照明装置の取り付け方法を提供することを目的とする。
【課題を解決するための手段】
【０００６】
本発明は、側面（例えば、後述の奥側側面１５）及び下面（例えば、後述の下面１４）により構成される入隅部（例えば、後述の入隅部１６）において光を下方に照射するように前記下面に取り付けられ、前記下面に形成される開口（例えば、後述の開口１４ａ）を通して配置される配線ケーブル（例えば、後述の配線ケーブル６）が接続される発光ユニット（例えば、後述の発光ユニット２）と、前記発光ユニットが取り付けられると共に下方が開放して形成される照明枠体（例えば、後述の照明枠体３）と、を備える照明装置（例えば、後述の照明装置１）であって、前記照明枠体は、前記発光ユニットにおける前記側面と反対側において上下方向に延び且つ前記発光ユニットにおける前記側面と反対側の部分を遮蔽する第１遮蔽壁（例えば、後述の前方側縦壁部３３）と、前記発光ユニットにおける前記側面側において前記側面に交差する方向に延び且つ下方側から見た場合に前記開口を遮蔽する第２遮蔽壁（例えば、後述の後方側横壁部３６）と、を有する照明装置に関する。
【０００７】
また、前記入隅部は、段差状に積み上げた複数のブロック材（例えば、後述のコンクリートブロック１１，１２）の一部分により構成され、前記開口は、前記ブロック材に形成される空洞部（例えば、後述の空洞部１１５）を利用して構成されることが好ましい。
【０００８】
また、前記照明装置の取り付け方法であって、前記第２遮蔽壁の下端部（例えば、後述の下端部３６ａ）の位置が、上下方向において、前記側面に配置される仕上げ材（例えば、後述の仕上げ材１７）の仕上面（例えば、後述の仕上面１７１）の上端部（例えば、後述の上端部１７１ａ）の位置と一致するように、前記照明枠体を前記下面に取り付ける工程を備える照明装置の取り付け方法に関する。
【発明の効果】
【０００９】
本発明によれば、入隅部に照明装置を設置する場合において、照明装置を簡単に設置できると共に、見栄えの良い照明装置及び照明装置の取り付け方法を提供することができる。
【図面の簡単な説明】
【００１０】
【図１】本発明の照明装置が設置された第１実施形態のブロック積層構造体を示す正面図である。
【図２】本発明の照明装置が設置された第１実施形態のブロック積層構造体を示す側面図である。
【図３】ブロック積層構造体を構成するコンクリートブロックを示す斜視図であって、（ａ）は、端部に配置される端部用コーナーブロックを示す図であり、（ｂ）は、中間部に配置される基本型中間ブロックを示す図である。
【図４】図１のＡ−Ａ線断面図であって、本発明の照明装置１が入隅部１６に配置された状態を示す縦断面図である。
【図５】本発明の照明装置の発光ユニットを示す横断面図である。
【図６】第２実施形態のブロック積層構造体を示す正面図である。
【発明を実施するための形態】
【００１１】
以下、本発明の照明装置１の第１実施形態について、図面を参照しながら説明する。図１は、本発明の照明装置１が設置された第１実施形態のブロック積層構造体１０を示す正面図である。図２は、本発明の照明装置１が設置された第１実施形態のブロック積層構造体１０を示す側面図である。図３は、ブロック積層構造体１０を構成するコンクリートブロック１１，１２を示す斜視図であって、（ａ）は、端部に配置される端部用コーナーブロック１１ａ，１２ａを示す図であり、（ｂ）は、中間部に配置される基本型中間ブロック１１ｂ，１２ｂを示す図である。図４は、図１のＡ−Ａ線断面図であって、本発明の照明装置１が入隅部１６に配置された状態を示す縦断面図である。図５は、本発明の照明装置１の発光ユニット２を示す横断面図である。
なお、本実施形態の説明においては、照明装置１の発光ユニット２が延びる方向を左右方向という。また、発光ユニット２を正面から見た場合に、手前側を前方側ともいい、奥側を後方側ともいう。
【００１２】
図１及び図２に示すように、本実施形態の照明装置１の発光ユニット２は、コンクリートブロック１１，１２が積層されたブロック積層構造体１０の入隅部１６に配置される。また、ブロック積層構造体１０の内部には、照明装置１へ電力を供給するための配線ケーブル６（図４参照）を配線するために、誘導配管７が設置される。誘導配管７の内部には、配線ケーブル６が通される。
【００１３】
まず、ブロック積層構造体１０について説明する。ブロック積層構造体１０には、照明装置１が取り付けられると共に、誘導配管７が設置される。
【００１４】
本実施形態のブロック積層構造体１０は、図１及び図２に示すように、所定の厚さを有して所定方向に延びる略直方体形状のコンクリートブロック１１，１２が、長辺が左右方向に沿うように３つのコンクリートブロックが左右方向に直線状に並んで配置され、上下方向に７段積み上げられている。ブロック積層構造体１０は、全体として、下側から５段目及び６段目のコンクリートブロック１２の前面が、１段目から４段目までのコンクリートブロック１１の前面、及び７段目のコンクリートブロック１１の前面よりも後方側の位置に配置される段差状に形成されている。本実施形態では、コンクリートブロックは、市販のものを使用しており、ＪＩＳ規格において規定される、ＪＩＳ  Ａ５４０６「建築用コンクリートブロック」に基づいて製造されたものである。
【００１５】
本実施形態においては、ブロック積層構造体１０は、上下方向において、下側から５段目及び６段目のコンクリートブロック１２は、１段目から４段目及び７段目のコンクリートブロック１１よりも厚さが小さく形成される。本実施形態では、１段目から４段目及び７段目のコンクリートブロック１１は、全て同じ厚さで形成され、例えば、長さが３９ｃｍ、高さが１９ｃｍ、厚さが１５ｃｍのコンクリートブロック１１が使用される。５段目及び６段目のコンクリートブロック１２は、全て同じ厚さで形成され、例えば、長さが３９ｃｍ、高さが１９ｃｍ、厚さが１０ｃｍのコンクリートブロック１２が使用される。
【００１６】
下側から１段目から７段目までのコンクリートブロック１１，１２は、全て、背面が同一面上に配置され、下側から５段目及び６段目のコンクリートブロック１２は、１段目から４段目及び７段目のコンクリートブロック１１の前面よりも後方側の位置において、前面が同一面上に配置される。これにより、図１及び図２に示すように、入隅部１６が形成されたブロック積層構造体１０を構成することができる。
【００１７】
また、本実施形態のブロック積層構造体１０においては、左右方向に並んだ３つのコンクリートブロック１１，１２は、左右方向の両端部に配置される端部用コーナーブロック１１ａ，１２ａと、左右方向の中央に配置される基本型中間ブロック１１ｂ，１２ｂと、により構成される。
【００１８】
端部用コーナーブロック１１ａ，１２ａは、図３（ａ）に示すように、略直方体形状に形成され、長手方向において、一端部側において平面状に形成される端部側面１０１と、他端部側において内部側に窪む端部湾曲側面１０２と、を有する。
また、端部用コーナーブロック１１ａ，１２ａは、長手方向に並んで形成される３つの空洞部１０３，１０４，１０５を有する。３つの空洞部１０３，１０４，１０５は、上下方向に延びて形成される。一方側の端部側面１０１側の空洞部１０３は、上下方向に貫通しており、残りの２つの空洞部１０４，１０５は、上下方向の途中から下端部までの下方の部分が開放されている。端部ブロックには、上面において、上方から下方に窪んで長手方向に沿って延びる円弧上面１０６が形成されている。
【００１９】
基本型中間ブロック１１ｂ，１２ｂは、図３（ｂ）に示すように、略直方体形状に形成され、長手方向の両端部において内部側に窪む端部湾曲側面１１１，１１１を有する。
また、基本型中間ブロック１１ｂ，１２ｂは、長手方向に並んで形成される３つの空洞部１１２を有する。３つの空洞部１１２は、上下方向に延びて形成され、上下方向の途中から下端部までの下方の部分が開放されている。基本型中間ブロック１１ｂ，１２ｂは、上面において、上方から下方に窪んで長手方向に沿って延びる円弧上面１１３が形成されている。
【００２０】
ブロック積層構造体１０の左右方向においては、中央に基本型中間ブロック１１ｂ，１２ｂを配置し、両端に端部用コーナーブロック１１ａ，１２ａを配置する。端部用コーナーブロック１１ａ，１２ａ及び基本型中間ブロック１１ｂ，１２ｂは、厚さが異なるものを用いることができ、左右の向きを変えて段差状に積み上げることで、入隅部１６を、段差状に積み上げた複数のブロック材の一部分により構成することができる。
【００２１】
このようにして、コンクリートブロック１１，１２が積み上げられることで、図１に示すように、端部用コーナーブロック１１ａ，１２ａの端部側面１０１側の空洞部１０３が上下方向に連通して配置される。また、隣接する各コンクリートブロック１１，１２の端部の端部湾曲側面１０２，１１１が対向することで、空洞部１１５（図３（ａ）参照）が形成され、空洞部１１５が上下方向に連通して配置される。
【００２２】
一般的には、空洞部１０３，１１５には、強度確保などのための鉄筋（図示せず）が挿入される。本実施形態においては、鉄筋が挿入される空洞部１０３，１１５を、鉄筋を挿入するために利用すると共に、誘導配管７を通す空間としても利用している。
【００２３】
本実施形態においては、最も上段（下側から７段目）における左側の２つのコンクリートブロック１１の間に形成される空洞部１１５の下端部は、下側から７段目のコンクリートブロック１１の下面１４の開口１４ａ（後述）として利用される。このように、本実施形態においては、７段目のコンクリートブロック１１０の下面１４に形成される開口１４ａは、コンクリートブロック１１に形成される空洞部１１５を利用して構成される。
【００２４】
本実施形態では、誘導配管７を、図１に示すように、端部用コーナーブロック１１ａ，１２ａの一方側の端部側の空洞部１０３において、最も下方のコンクリートブロック１１から最も上方のコンクリートブロック１１まで通す。更に、最も上方側のコンクリートブロック１１に達した誘導配管７を、最も上方のコンクリートブロック１１において、端部用コーナーブロック１１ａの他方側に屈曲させて、上方側から窪む円弧上面１０６の上面を通し、基本型中間ブロック１１ｂ，１２ｂの端部湾曲側面１１１と端部用コーナーブロック１１ａの端部湾曲側面１０２とにより形成された空洞部１１５に、上方側から下方側に向けて通して、図４に示すように、７段目のコンクリートブロック１１０の下面１４に形成される開口１４ａに連通するように配管する。このようにして、誘導配管７を、端部用コーナーブロック１１ａ，１２ａの一方側の端部側の空洞部１０３の下端部１０３ａから、入隅部１６の下面１４の開口１４ａまで配管する。
【００２５】
誘導配管７の内部には、照明装置１のコネクタケーブル５に接続するための配線ケーブル６を通らせる。ブロック積層構造体１０のコンクリートブロック１１，１２の間には、目地材としてのモルタルが配置され、コンクリートブロック１１，１２は、目地材としてのモルタルによって固定される。また、鉄筋及び誘導配管７が挿入された後の空洞部１０３，１１５にも、モルタルが充填される。また、コンクリートブロック１１，１２の表面には、仕上げ材１７として、例えば、モルタルが塗工されている。
【００２６】
以上のように構成されたブロック積層構造体１０は、図４に示すように、段差状に形成され、段差状の部分において、７段目のコンクリートブロック１１０の前面により構成される手前側側面１３と、７段目のコンクリートブロック１１０の下面で構成される下面１４と、６段目のコンクリートブロック１２０の前面で構成される奥側側面１５（側面）と、を有する。下面１４及び奥側側面１５は、入隅部１６を構成する。
【００２７】
入隅部１６には、照明装置１が配置される。入隅部１６の下面１４には、照明装置１に接続するための配線ケーブル６を通らせるための開口１４ａが形成されている。開口１４ａは、下面１４の後方側（奥側）において、下方に向けて開放している。照明装置１に電力を供給するための配線ケーブル６は、開口１４ａを通して配置されて、照明装置１の発光ユニット２まで延在する。
【００２８】
次に、照明装置１について説明する。
照明装置１は、図４に示すように、発光ユニット２と、照明枠体３と、２つの支持枠体４（図１参照）と、コネクタケーブル５（図５参照）と、を備える。
【００２９】
発光ユニット２は、図５に示すように、長尺状に形成され、２つの支持枠体４に支持された状態で、図４に示すように、照明枠体３に取り付けられる。発光ユニット２は、図４に示すように、ブロック積層構造体１０の入隅部１６に配置される。発光ユニット２は、線状に光を照射する、いわゆる、ライン照明を構成する。発光ユニット２は、図１に示すように、ブロック積層構造体１０の左右方向に延びる。発光ユニット２は、下方に光を照射して、下方に配置されるコンクリートブロック１１の上面からの反射光により周囲を間接的に照明する、いわゆる、間接照明である。
【００３０】
発光ユニット２は、図５に示すように、長手方向に延びると共に下方側が開放した筐体２１と、筐体２１の両端部に配置された端部キャップ２２，２２と、長手方向に延びるＬＥＤ基板２３と、ＬＥＤ基板２３の下面において長手方向に沿って所定間隔毎に取り付けられた複数のＬＥＤ（光源部）２４と、複数のＬＥＤ２４の下方において筐体２１の下方側に取り付けられる透光板２５と、を備える。端部キャップ２２，２２は、透明の樹脂材料により形成されており、発光ユニット２からの光が透過され、影を作らないように構成される。
【００３１】
コネクタケーブル５は、ケーブル部５１と、コネクタ部５２と、を有する。ケーブル部５１の一端側は、発光ユニット２のＬＥＤ基板２３に接続され、他端側は、コネクタ部５２に接続される。コネクタ部５２は、誘導配管７の内部を通された配線ケーブル６の先端に配置されたコネクタ６１に接続される。
【００３２】
支持枠体４は、図４に示すように、照明枠体３に取り付けられる。支持枠体４は、図１に示すように、発光ユニット２の長手方向の２箇所において、発光ユニット２を支持している。支持枠体４は、図４に示すように、下方が開放される略Ｕ字形の枠状に形成される。支持枠体４には、発光ユニット２が、複数のＬＥＤ２４の発光面が下方を向いた状態で、下方から挿入されて嵌め込まれることで、取り付けられる。支持枠体４は、透明の樹脂材料により形成されており、発光ユニット２からの光が透過され、影を作らないように構成される。
【００３３】
支持枠体４の底面には、貫通ネジ孔４ａが形成される。貫通ネジ孔４ａには、支持枠体４を入隅部１６の下面１４に取り付ける際に、取付ネジ部材４１が貫通して配置される。
【００３４】
照明枠体３は、左右方向に延びて形成され、入隅部１６の下面１４に取り付けられる。照明枠体３は、下方が開放した枠状に形成される。本実施形態においては、照明枠体３は、アルミ材料の押出し型材で形成される。照明枠体３の内部の上部には、支持枠体４に支持された発光ユニット２が配置される。
【００３５】
照明枠体３は、図４に示すように、上側水平壁部３１と、上側水平壁部３１における前後方向の途中の下面から下方に突出する位置決め突出部３２と、上側水平壁部３１の前後方向の前端部から下方に延びる前方側縦壁部３３（第１遮蔽壁）と、前方側縦壁部３３の下端部から後方側に延びる下部前方側水平延出片３４と、上側水平壁部３１の前後方向の後端部から下方に延びる後方側縦壁部３５と、後方側縦壁部３５の下端部から後方側に延びる後方側横壁部３６（第２遮蔽壁）と、を有する。
【００３６】
上側水平壁部３１は、前後方向に所定幅を有して、長手方向に延びて形成され、水平に延びる板状に形成される。上側水平壁部３１は、入隅部１６の下面１４に沿って取り付けられる。上側水平壁部３１は、入隅部１６の下面１４の前後方向において、下面１４に形成される開口１４ａの前方側の部分から下面１４の前方側の端部まで前後方向に延びて形成され、かつ、長手方向に延びて形成される。
【００３７】
上側水平壁部３１の下面には、長手方向の所定の２箇所の位置（図１参照）において、位置決め突出部３２により前後方向の位置決めがされた状態で、支持枠体４が取り付けられる。
【００３８】
上側水平壁部３１には、長手方向の所定の位置において、貫通ネジ孔３１ａが形成される。貫通ネジ孔３１ａには、照明枠体３を入隅部１６の下面１４に取り付ける際に、取付ネジ部材４１が貫通して配置される。
【００３９】
本実施形態においては、照明枠体３を入隅部１６の下面１４に取り付ける場合に、照明枠体３の内部に支持枠体４を配置すると共に、支持枠体４の貫通ネジ孔４ａと照明枠体３の上側水平壁部３１の貫通ネジ孔３１ａとを重ね合わせた状態で、下方側から取付ネジ部材４１を貫通させる。そして、取付ネジ部材４１を、入隅部１６の下面１４においてコンクリートブロック１１の内部に形成した取付孔１４ｂに予め配置した樹脂プラグ４２にねじ込んで、支持枠体４と照明枠体３とを共締めすることで、支持枠体４と照明枠体３とを入隅部１６の下面１４に取り付ける。その後に、発光ユニット２を、支持枠体４に嵌め込んで取り付けることで、発光ユニット２を照明枠体３の内部に配置する。このようにして、発光ユニット２は、光を下方に照射するように、照明枠体３を入隅部１６の下面１４に取り付けられる。
【００４０】
前方側縦壁部３３は、発光ユニット２における奥側側面１５と反対側において、発光ユニット２の前方側に配置され、上側水平壁部３１の前方側の端部から下方側に向けて、上下方向に所定長さ延びる板状に形成される。前方側縦壁部３３は、発光ユニット２の前方側の部分（奥側側面１５と反対側の部分）を遮蔽する。前方側縦壁部３３の前面は、長手方向に延びる長方形状の前方側を向いた上下方向に延びる平面により構成され、外部に露出される意匠面となる。
【００４１】
下部前方側水平延出片３４は、前方側縦壁部３３の下端部から後方側に略水平に所定長さ延びる板状に形成される。下部前方側水平延出片３４は、発光ユニット２の前方側の一部を、下方側から見た場合に遮蔽する。下部前方側水平延出片３４を、前方側縦壁部３３の下端部から後方側に略水平に所定長さ延びるように構成することで、安全性を向上（指の挟まり防止、ひっかかり防止など）させることや、意匠性を向上させることや、照明器具を保護することなどができる。
【００４２】
後方側縦壁部３５は、発光ユニット２の後方側に配置され、上側水平壁部３１の前後方向の後端部から下方側に所定長さ延びる板状に形成される。後方側縦壁部３５は、発光ユニット２の後方側において、奥側側面１５を遮蔽し、入隅部１６の下面１４の開口１４ａを遮蔽すると共に、開口１４ａを通されて照明枠体３に達するまでの配線ケーブル６を遮蔽する。後方側縦壁部３５には、所定位置において、入隅部１６の下面１４の開口１４ａを通って配線された配線ケーブル６を照明枠体３の内部へ通すための貫通開口（図示せず）が形成されている。
【００４３】
後方側横壁部３６は、発光ユニット２における奥側側面１５側において、後方側縦壁部３５の下端部から後方側に向けて、入隅部１６における奥側側面１５に直交（交差）する方向（下面１４に平行な方向）に所定長さ延びる板状に形成される。後方側横壁部３６は、下方側から見た場合に入隅部１６の下面１４の開口１４ａを遮蔽すると共に、開口１４ａを通されて照明枠体３に達するまでの配線ケーブル６を下方側から見えないように遮蔽する。
【００４４】
後方側横壁部３６の下方側には、図４に示すように、入隅部１６の奥側側面１５において、仕上げ材１７が施される。後方側横壁部３６の上下方向の下端部３６ａの位置Ｈは、仕上げ材１７の表面である仕上面１７１の上端部１７１ａの位置Ｈと一致している。
【００４５】
次に、本発明の照明装置１の施工方法について説明する。
まず、図１に示すように、コンクリートブロック１１，１２を、モルタルを目地材として固定しながら積み上げていく。ブロック積層構造体１０は、段差状に形成され、入隅部１６を有するように配置される。同時に、誘導配管７を、コンクリートブロック１１，１２の空洞部１０３，１１５を通して配置する。誘導配管７における照明装置１側の下端部は、入隅部１６の下面１４に形成される開口１４ａにおいて下方に開放して配置される。そして、誘導配管７の内部に、配線ケーブル６を通らせることで、図４に示すように、照明装置１に電力を供給するための配線ケーブル６を、開口１４ａを通して配線する。
【００４６】
次に、照明装置１を入隅部１６に取り付ける前に、仕上げ材１７を、入隅部１６の奥側側面１５に施工する。入隅部１６の奥側側面１５には、後の工程において、照明枠体３を入隅部１６に取り付ける際に、照明枠体３の後方側横壁部３６の下端部３６ａの位置Ｈが、上下方向において、仕上げ材１７の仕上面１７１の上端部１７１ａの位置Ｈと一致するように施工できるように、仕上げ材１７を施工する。なお、本実施形態においては、仕上げ材１７の施工を、照明装置１を設置する前としたが、これに限定されず、仕上げ材１７の施工を、照明装置１を設置した後としてもよい。
【００４７】
次に、照明枠体３の内部に支持枠体４を配置して、照明枠体３と支持枠体４とを、取付ネジ部材４１により共締めして、入隅部１６の下面１４に取り付ける。ここで、照明枠体３を入隅部１６の下面１４に取り付ける際には、入隅部１６の下面１４に、照明枠体３の上側水平壁部３１を配置すると共に、照明枠体３の後方側横壁部３６の下端部３６ａの位置Ｈが、上下方向において、仕上げ材１７の仕上面１７１の上端部１７１ａの位置Ｈと一致するように、照明枠体３を入隅部１６の下面１４に取り付ける。
【００４８】
その後、入隅部１６の下面１４に形成される開口１４ａを通された配線ケーブル６のコネクタ６１と、照明装置１のコネクタケーブル５のコネクタ部５２とを嵌め合わせる。続けて、発光ユニット２を支持枠体４に嵌め込むことで、照明枠体３に発光ユニット２を取り付ける。なお、本実施形態においては、配線ケーブル６のコネクタ６１と照明装置１のコネクタケーブル５のコネクタ部５２とを嵌め合わせた後に、照明枠体３に発光ユニット２を取り付ける順としたが、これに限定されない。照明枠体３に発光ユニット２を取り付けた後に、配線ケーブル６のコネクタ６１と、照明装置１のコネクタケーブル５のコネクタ部５２とを嵌め合わせる順としてもよい。
【００４９】
ここで、照明装置１の前方側においては、前方側縦壁部３３は、発光ユニット２の前方側から発光ユニット２が見えないように、発光ユニット２の前方側を遮蔽する。また、前方側縦壁部３３の前面は、外部に露出する意匠面を構成し、正面側から見た場合の意匠性を向上できる。
【００５０】
また、照明枠体３の後方側横壁部３６は、発光ユニット２における奥側側面１５側において、奥側側面１５に直交（交差）する前後方向に水平に延び且つ下面１４に平行に延びており、入隅部１６の下面１４に形成された開口１４ａ及び開口１４ａを通された配線ケーブル６を、下方側から見えないように遮蔽する。これにより、後方側横壁部３６は、開口１４ａ及び配線ケーブル６を隠すことができる。よって、照明装置１を斜め下方側から見ても、開口１４ａ及び配線ケーブル６が後方側横壁部３６に隠されるため、意匠性を向上できる。
【００５１】
また、照明枠体３の後方側横壁部３６の下端部３６ａの上下方向の位置Ｈは、仕上げ材１７の仕上面１７１の上端部１７１ａの位置Ｈに一致する。これにより、照明枠体３の後方側横壁部３６の下端部３６ａの位置を設定することで、仕上げ材１７の仕上面１７１の上端部１７１ａの位置が明確となるため、仕上げ材１７を容易に施工できる。
【００５２】
以上のように構成する照明装置１の施工方法においては、照明装置１を入隅部１６に簡単に施工できると共に、照明装置１を綺麗に納まった状態で見栄え良く設置できる。これにより、照明装置１を綺麗に納まった状態で見栄え良く設置できるため、照明装置１を、人の目線の高さや、人の目線の高さよりも高い入隅部１６に設置することができる。
【００５３】
以上説明した本実施形態の照明装置１によれば、以下のような効果を奏する。
本実施形態の照明装置１は、奥側側面１５及び下面１４により構成される入隅部１６において光を下方に照射するように下面１４に取り付けられ、下面１４に形成される開口１４ａを通して配置される配線ケーブル６が接続される発光ユニット２と、発光ユニット２が取り付けられると共に下方が開放して形成される照明枠体３と、を備える照明装置１であって、照明枠体３は、発光ユニット２における奥側側面１５と反対側において上下方向に延び且つ発光ユニット２の前面側（奥側側面１５と反対側の部分）を遮蔽する前方側縦壁部３３と、発光ユニット２における奥側側面１５側において奥側側面１５に交差する方向に延び且つ下方から見た場合に開口１４ａを遮蔽する後方側横壁部３６と、を有する。
【００５４】
そのため、照明枠体３の前方側縦壁部３３により、照明装置１を正面から見た場合に、発光ユニット２の前面側を遮蔽できる。また、照明枠体３の後方側横壁部３６により、照明装置を下方から見た場合に、入隅部１６の下面１４に形成された開口１４ａと開口１４ａを通らせた配線ケーブル６とを遮蔽できる。また、照明枠体３の後方側横壁部３６により、開口１４ａ周辺の隙間を遮蔽できると共に、配線ケーブル６が下に垂れてくることを防止できる。これにより、入隅部１６に照明装置１を設置する場合において、照明装置１を簡単に設置できると共に、照明装置１の見栄えを良くすることで意匠性を向上させることができる。
【００５５】
また、前記実施形態においては、入隅部１６は、段差状に積み上げた複数のコンクリートブロック１１，１２の一部分により構成され、入隅部１６の下面１４に形成された開口１４ａは、コンクリートブロック１１に形成される空洞部１１５を利用している。そのため、コンクリートブロック１１，１２を段差状に積み上げるだけで、入隅部１６を容易に構成できる。また、コンクリートブロック１１，１２の空洞部１０３，１１５を利用しているため、配線ケーブルを通すための開口や切り欠きを新たに形成しなくてよい。よって、コンクリートブロック１１の空洞部１１５を利用して、照明装置１の配線を容易に行うことができる。
【００５６】
また、前記実施形態においては、後方側横壁部３６の下端部３６ａの位置Ｈが、上下方向において、奥側側面１５に配置される仕上げ材１７の仕上面１７１の上端部１７１ａの位置Ｈと一致するように、照明枠体３を入隅部１６の下面１４に取り付ける工程を備える。これにより、照明枠体３の後方側横壁部３６の位置を規定することで、仕上げ材１７の仕上面１７１の上端部１７１ａの位置が明確となるため、仕上げ材１７を容易に施工できる。
【００５７】
次に、本発明の第２実施形態について説明する。図６は、第２実施形態のブロック積層構造体１０Ａを示す正面図である。第２実施形態は、第１実施形態と比べて、ブロック積層構造体１０Ａの構成が異なる。第２実施形態の説明にあたって、第１実施形態の構成と同一の構成については同一符号を付し、その説明を省略もしくは簡略化する。
【００５８】
図６に示すように、第２実施形態のブロック積層構造体１０Ａは、所定の厚さを有して所定方向に延びる略直方体形状のコンクリートブロック１１，１２が、長辺が左右方向に沿うように４つのコンクリートブロックが左右方向に直線状に並んで配置され、上下方向に７段積み上げられている。ブロック積層構造体１０Ａは、全体として、下側から５段目及び６段目の４つのコンクリートブロック１１，１２のうち、正面から見た場合に、左側の３つのコンクリートブロック１２の前面が、右側の１つのコンクリートブロック１１の前面、１段目から４段目までのコンクリートブロック１１の前面、及び７段目のコンクリートブロック１１の前面よりも後方側の位置に配置される段差状に形成されている。つまり、下側から５段目及び６段目の４つのコンクリートブロック１１，１２においては、正面から見て最も右側の１つのコンクリートブロック１１ｄの厚さが、左側の３つのコンクリートブロック１２の厚さよりも厚いものを使用している。
【００５９】
本実施形態では、図６に示すように、例えば、下側から１段目から４段目、及び７段目において、左右方向に並ぶ４つのコンクリートブロック１１においては、正面から見て左側の３つのコンクリートブロック１１ａ，１１ｂは、長さが３９ｃｍ、高さが１９ｃｍ、厚さが１５ｃｍのものを使用する。正面から見て右側の１つのコンクリートブロック１１ｃは、長さが３９ｃｍの半分の１９．５ｃｍ、高さが１９ｃｍ、厚さが１５ｃｍのものを使用する。
下側から５段目及び６段目においては、左右方向に並ぶ４つのコンクリートブロック１１，１２においては、正面から見て左側の３つのコンクリートブロック１２ａは、長さが３９ｃｍ、高さが１９ｃｍ、厚さが１０ｃｍのものを使用する。正面から見て右側の１つのコンクリートブロック１１ｄは、正面から見て左側の３つのコンクリートブロック１２ａの厚さ１０ｃｍよりも厚い厚さの１５ｃｍのコンクリートブロックが使用されており、長さが現場において３９ｃｍの半分よりも短い長さに切断され、高さが１９ｃｍ、厚さが１５ｃｍのものを使用する。
【００６０】
このように構成される第２実施形態のブロック積層構造体１０Ａを用いて、第１実施形態と同様に、ブロック積層構造体１０Ａの空洞部１０３，１１５に、誘導配管７を配置する。誘導配管７の内部には、第１実施形態と同様に、配線ケーブル６を配置する。配線ケーブル６は、照明装置１に接続される。
【００６１】
第２実施形態においても、第１実施形態と同様に、照明装置１が、入隅部１６に配置される。ブロック積層構造体１０Ａ以外の照明装置１の構成や、照明装置１を取り付けるための構成は、第１実施形態と同様であるため、その説明を省略する。
【００６２】
第２実施形態によれば、第１実施形態と同様の効果を奏すると共に、次の効果を奏する。第２実施形態によれば、照明装置１が配置される入隅部１６の一方側に配置されるコンクリートブロック１１ｄの厚さが厚く形成されている。そのため、ブロック積層構造体１０Ａを一方側（図６における右側）の側方から見た場合に、照明装置１の照明枠体３の一方側の側面を遮蔽することができる。これにより、意匠性を一層向上できる。
【００６３】
以上、本発明の照明装置１の好ましい一実施形態について説明したが、本発明は、上述した実施形態に制限されるものではなく、適宜変更が可能である。
例えば、前記第１実施形態及び前記第２実施形態においては、照明装置１を、ブロック積層構造体１０，１０Ａの段差状の入隅部１６に配置するように構成したが、これに限定されない。例えば、外構の階段下において段差状の入隅部を形成することで、照明装置を、その入隅部に配置してもよい。
【００６４】
また、前記実施形態では、照明枠体を左右方向に延びる直線状に形成したが、これに限定されない。照明枠体は、長手方向の途中で、延びる向きの角度を変えるように構成してもよい。例えば、２つの照明枠体の端部を傾斜角度をもった傾斜面で形成し、２つの照明枠体の端部の傾斜面同士を接続することで、長手方向の途中で、延びる向きの角度を変えるように構成することができる。
【符号の説明】
【００６５】
１  照明装置
２  発光ユニット
３  照明枠体
６  配線ケーブル
１１  コンクリートブロック（ブロック材）
１２  コンクリートブロック（ブロック材）
１４  下面
１４ａ  開口
１５  奥側側面（側面）
１６  入隅部
１７  仕上げ材
３３  前方側縦壁部（第１遮蔽壁）
３６  後方側横壁部（第２遮蔽壁）
３６ａ  下端部
１０３  空洞部
１１５  空洞部
１７１  仕上面
１７１ａ  上端部
【図１】
2018092865.tif 000003
【図２】
2018092865.tif 000004
【図３】
2018092865.tif 000005
【図４】
2018092865.tif 000006
【図５】
2018092865.tif 000007
【図６】
2018092865.tif 000008